(57)【要約】【課題】着脱し易く、身体へのフィット性に優れている吸収パッドホルダーを提供すること。【解決手段】本発明の吸収パッドホルダーは、排泄物の吸収パッドを身体に密着させるものであり、上端に胴部開口部２０を有する股上部２と、下端に大腿開口部３０を有する股下部３とを備えており、股上部２を上下方向に上部領域２１、縦中央領域２２及び下部領域２３に区分したときに、少なくとも該股上部２の腹側は、上部領域２１より下部領域２３における縦方向の伸度が低く設けられている。【選択図】図１
2008302008.tif 000002
【特許請求の範囲】
【請求項１】
排泄物の吸収パッドを身体に密着させる吸収パッドホルダーであって、
上端に胴部開口部を有する股上部と、下端に大腿開口部を有する股下部とを備えており、
前記股上部を上下方向に上部領域、縦中央領域及び下部領域に区分したときに、
少なくとも該股上部の腹側は、
前記上部領域より下部領域における縦方向の伸度が低く設けられている吸収パッドホルダー。
【請求項２】
前記股上部を横方向に横中央領域、側部領域に区分したときに、
少なくとも前記股上部の腹側は、前記側部領域において、
前記上部領域の縦方向の伸度が３５〜１２０％であり、
且つ前記下部領域の縦方向の伸度が１〜３０％である請求項１に記載の吸収パッドホルダー。
【請求項３】
少なくとも前記股上部の腹側は、前記側部領域において、
前記上部領域の横方向の伸度が３０〜９０％であり、
且つ前記下部領域の横方向の伸度が３〜２５％である請求項２に記載の吸収パッドホルダー。
【請求項４】
少なくとも前記股上部の腹側は、前記側部領域における縦又は横方向の伸度が、
（前記上部領域の伸度／前記下部領域の伸度）＝３．０〜１５である請求項２に記載の吸収パッドホルダー。
【請求項５】
少なくとも前記股上部の腹側は、
前記上部領域、前記縦中央領域及び下部領域において、
縦方向の伸度が、
上部領域＞縦中央領域＞下部領域
であり、
且つ横方向の伸度が、
上部領域＞縦中央領域≧下部領域
である請求項２に記載の吸収パッドホルダー。
【請求項６】
少なくとも前記股上部の腹側は、
前記上部領域、前記縦中央領域及び前記下部領域において、
縦方向及び横方向の伸度が、
側部領域＞横中央領域
である請求項２に記載の吸収パッドホルダー。
【請求項７】
少なくとも前記股上部は、
前記上部領域において、
背側の縦方向の伸度＞前記腹側の縦方向の伸度
である請求項２に記載の吸収パッドホルダー。
【発明の詳細な説明】
【技術分野】
【０００１】
本発明は、排泄物の吸収パッドと共に使用される吸収パッドホルダーに関する。
【背景技術】
【０００２】
近年、失禁用の吸収パッドと併用され、該吸収パッドを身体に密着させるためのパンツ型の吸収パッドホルダーが種々提案されている（例えば、特許文献１参照）。
【０００３】
特許文献１に記載の技術では、ホルダーは、シームレスな編物素材や織物素材で形成され、上下方向、左右方向、前後方向、斜め方向といった立体的なあらゆる方向に弾性変形することができるように設けられ、且つ人体の各部位に適度な締め付け感をもって密着することができるように設けられている。
【０００４】
しかし、このホルダーは、ストッキングのようにあらゆる方向に弾性変形できる伸縮性の高い素材で設けられているため、ホルダーを身体に装着しようとしてそれを引き上げたときに、身体の股間部分とホルダーの股間部分の間に浮きが発生してしまうため吸収パッドの密着性が得られず、漏れが発生するおそれがある。また、逆にホルダーを伸度の低い素材で形成した場合には、ホルダーを引き上げづらくなる等着脱性が悪くなるほか、ホルダー自体の身体へのフィット性も低下してしまうおそれがある。
【０００５】
【特許文献１】特開２００１−２９３７５号公報
【発明の開示】
【発明が解決しようとする課題】
【０００６】
本発明は、上記課題に鑑みてなされたものであり、着脱し易く、身体へのフィット性に優れている吸収パッドホルダーを提供することを目的とする。
【課題を解決するための手段】
【０００７】
本発明者らは、吸収パッドホルダーにおける股上の腹側を、上下方向に特定の伸度特性を有するように形成すると、着脱のし易さと身体へのフィット性の両方の特性を満たし得ることを知見し、本発明を完成するに至った。
【０００８】
本発明は、上記知見に基づきなされたものであり、排泄物の吸収パッドを身体に密着させる吸収パッドホルダーであって、上端に胴部開口部を有する股上部と、下端に大腿開口部を有する股下部とを備えており、前記股上部を上下方向に上部領域、縦中央領域及び下部領域に区分したときに、少なくとも該股上部の腹側は、前記上部領域より下部領域における縦方向の伸度が低く設けられている吸収パッドホルダーを提供するものである。
【発明の効果】
【０００９】
本発明の吸収パッドホルダーは、着脱し易く、身体へのフィット性に優れている。よって、吸収パッドの身体への密着性に優れている。
【発明を実施するための最良の形態】
【００１０】
以下本発明を、その好ましい実施形態に基づき図面を参照しながら説明する。
図１及び図２は、本発明の吸収パッドホルダーの一実施形態を示した模式図である。
【００１１】
図１に示したように、本実施形態の吸収パッドホルダー１は、排泄物の吸収パッド１０を身体に密着させるものであり、上端に胴部開口部２０を有する股上部２と、下端に大腿開口部３０を有する股下部３とを備えており、いわゆるトランクス型の形態を有している。ここで、股上部２は、股の割れ目の部分より上方の部分をいい、股下部３は、それより下方の部分をいう。なお、股上部２には、胴回りの弾性体４の部分は含まれない。
【００１２】
図２に示したように、本実施形態の吸収パッドホルダー１は、未使用状態（非伸張状態）において、股上部２を上下方向に上部領域２１、縦中央領域２２及び下部領域２３に３等分に区分したときに、少なくとも股上部２の腹側は、上部領域２１より下部領域２３における縦方向の伸度が低く設けられている。斯かる伸度特性を有していると、吸収パッドホルダーを身体に装着するときに、従来のような股間の部分に浮きが生じることを防ぐことができ、吸収パッドを身体（特に股間部分）に密着させることができる。また、上部領域２１の伸度が高いため、腰曲がりなどの高齢者の様々な体型の身体へもフィットさせることができる。本明細書において、縦方向の伸度とは、１．０Ｎ荷重時の伸度をいい、後述する方法によって測定される。
【００１３】
本実施形態の吸収パッドホルダー１は、股上部２を横方向に横中央領域２Ｂ、その両側の側部領域２Ａ、２Ｃに区分したときに、少なくとも股上部２の腹側は、側部領域２Ａ、２Ｃにおいて、上部領域２１の縦方向の伸度が好ましくは３５〜１２０％、より好ましくは５０〜１００％であり、且つ下部領域２３の縦方向の伸度が好ましくは１〜３０％、より好ましくは３〜２０％である。斯かる伸度特性を有していると、上述の股間部分に生じる浮きをより一層防ぐことができる。ここで、横中央領域２Ｂ、側部領域２Ａ、２Ｃは、股上部２を腹側において横方向に三等分に区分した領域である。
【００１４】
本実施形態の吸収パッドホルダー１は、少なくとも股上部２の腹側は、側部領域２Ａ、２Ｃにおいて、上部領域２１の横方向の伸度が好ましくは３０〜９０％、より好ましくは４０〜８０％であり、且つ下部領域２３の横方向の伸度が好ましくは３〜２５％、より好ましくは５〜１５である。斯かる伸度特性を有していると、着脱時に吸収パッドホルダーを拡げやすくなるため、着脱がし易くなってその労力が軽減されるほか、種々の体型の身体に対してもフィット性に優れた吸収パッドホルダーが得られる。本明細書において、横方向の伸度とは、１．０Ｎ荷重時の伸度をいい、下記方法によって測定される。
【００１５】
＜身生地の縦方向及び横方向の伸度の測定方法＞
測定対象のパッドホルダーから、横方向Ｓに５０ｍｍの寸法となるように側部領域２Ａ、２Ｃを切り出し、この切り出されたサンプルを測定サンプルとする。この測定サンプルを、その縦方向Ｌが引っ張り方向となるように、引張試験機のチャックに取り付ける。チャック間距離はサンプル長（ｍｍ）−１０ｍｍとする（サンプルの前後端５ｍｍをチャックする）。測定サンプルを３００ｍｍ／分で引っ張り、荷重値が１．０Ｎの時における該測定サンプルの伸長時の長さ（伸長時にチャック間に位置するサンプルの長さ）を用い、下記式から縦方向Ｌの１．０Ｎ／５０ｍｍ荷重時の伸度（縦方向の伸度）を求める。
伸度（％）＝[（伸長時の長さ（ｍｍ）−チャック間距離（ｍｍ））／チャック間距離（ｍｍ)]×１００
また、上記パッドホルダーから、縦方向Ｌに５０ｍｍの寸法となるように側部領域２Ａ、２Ｃを切り出してこれを測定サンプルとし、この測定サンプルを、その横方向Ｓが引っ張り方向となるように、引張試験機のチャックに取り付け、上記と同様の手順により、横方向Ｓの１．０Ｎ／５０ｍｍ荷重時の伸度（横方向の伸度）を求める。
【００１６】
本実施形態の吸収パッドホルダー１は、少なくとも股上部２の腹側は、側部領域２Ａ、２Ｃにおける縦又は横方向の伸度が、
（上部領域２１の伸度／下部領域２３の伸度）＝３．０〜１５であることが好ましく、８〜１３であることがより好ましい。斯かる伸度特性を有していると、吸収パッドホルダーを着脱するときに、当該吸収パッドホルダーを上げ下げしても、股下部と股上部の間の追従性が良好になり、従来のように、股間部分に隙間が生じることが抑えられる。
【００１７】
本実施形態の吸収パッドホルダー１は、少なくとも股上部２の腹側は、上部領域２１、縦中央領域２２及び下部領域２３において、好ましくは、縦方向の伸度が、上部領域２１＞縦中央領域２２＞下部領域２３であり、且つ横方向の伸度が、上部領域２１＞縦中央領域２２≧下部領域２３である。斯かる伸度特性を有していると、上述の股上部と股下部との間の追従性をより高めることできる。
【００１８】
本実施形態の吸収パッドホルダー１は、少なくとも股上部２の腹側は、上部領域２１、縦中央領域２２及び下部領域２３において、縦方向及び横方向の伸度が、側部領域（２Ａ、２Ｃ）＞横中央領域２Ｂであることが好ましい。斯かる伸度特性を有していると、吸収パッドホルダーを拡げやすくなるため、当該吸収パッドホルダーを身体へ装着するときの労力を軽減させることができる。
【００１９】
本実施形態の吸収パッドホルダー１は、少なくとも股上部２は、上部領域２１において、背側の縦方向の伸度＞前記腹側の縦方向の伸度であることが好ましい。斯かる伸度特性を有していると、腰曲がりなどの高齢者の様々な体型の身体へもフィットさせることができる。
【００２０】
吸収パッドホルダー１における股上部２の長さＬ２は、１６０〜３２０ｍｍが好ましく、１８０〜３００ｍｍがより好ましい。また、股下部３の長さＬ３は、０〜１００ｍｍが好ましく、１０〜５０ｍｍがより好ましい。ここで、股上部２及び股下部３の長さは、未伸長（非装着）の自然状態における長さをいう。
【００２１】
吸収パッドホルダー１は、伸度特性の異なるシートで形成された二つのピース（一つは上部領域、縦中央領域の上部（縫合糸より上の部分）２４Ａ、もう一つは縦中央領域の下部（縫合糸より下の部分）、下部領域及び股下部）２４Ｂを、縦中央領域２２において縫合糸２４で縫合することにより形成されている。
【００２２】
上述のような伸度特性を有する吸収パッドホルダー１は、具体的には、合成繊維又は天然繊維によって編織成されたネット状生地と、弾性伸縮素材が縫い込まれた織布とで形成された二つのピースが縦中央領域において互いに縫合糸で縫合されて形成されている。
前記合成繊維としては、ポリエステルやポリアミド等が挙げられる。
前記天然繊維としては、綿、麻、絹等が挙げられる。
前記弾性伸縮素材としては、スチレン−ブタジエン、ブタジエン、イソプレン、ネオプレン等の合成ゴム、天然ゴム、ＥＶＡ、伸縮性ポリオレフィン、ウレタン等の伸縮性の素材が挙げられる。
前記弾性糸としては、ポリウレタン繊維、ポリエーテルエステル繊維等のゴム状弾性を有する剛性繊維が挙げられる。
前記非弾性糸としては、絹糸、綿糸、毛糸、ポリエステル等の合成繊維、及びこれらの混紡糸、混撚糸が挙げられる。
【００２３】
本実施形態の吸収パッドホルダー１と共に使用される吸収パッドに特に制限はないが、身体への密着性を考慮すると、前後端の製品幅よりも長手方向中央部の製品幅が小さくなされており、外形が略砂時計形状であることが好ましい。
【００２４】
本実施形態の吸収パッドホルダー１を使用して上述の吸収パッドを身体に密着させる場合には、先ず、吸収パッドホルダーを膝上まで装着し、この状態で、吸収パッドを股間に装着する。そして、下部領域２３が身体に密着するまで吸収パッドホルダーを身体上部方向に引上げる。
【００２５】
以上説明したように、本実施形態の吸収パッドホルダー１は、上述のように、股上部に特定の伸度特性が付与されており、各領域の伸度特性に応じた上述の効果が得られるので、着脱のし易さと身体へのフィット性を兼ね備えたものである。
【００２６】
本発明は、前記実施形態に制限されない。
本発明の吸収パッドホルダーは、３つ以上の伸縮シートから形成されていてもよく、各シートは縫合のほか、接着剤等、一般に用いられる接合方法で接合されていてもよい。
また、異なる伸度物性を有するシートを接合するのではなく、異なる伸度物性を有する領域をシームレスで形成しても良い。
【００２７】
本発明の吸収パッドホルダーは、性別に関わらずに使用することができる。
【実施例】
【００２８】
以下、本発明を実施例によりさらに具体的に説明する。
【００２９】
〔実施例１〕
表１に示す伸度特性を有する下記の構成の吸収パッドホルダーを以下のように作製し、その着脱性及びフィット性（吸収パッドの密着性）を下記のようにして調べた。その結果を表１に合わせて示した。
【００３０】
＜吸収パッドホルダーの構成及び製造＞
下記ネット状生地と、下記織布とで形成された二つのピース（２４Ａ、２４Ｂ）を、縦中央領域において互いに縫合糸で縫合することによって、表１に示した伸度特性を有する吸収パッドホルダーを作製した。
ネット状生地：ポリエステル繊維８５％、ポリウレタン繊維１５％からなるネット状生地
織布：綿７０％、ポリエステル繊維２５％、ポリウレタン繊維５％からなる織布
縫合糸：ポリエステル繊維からなる非弾性糸
Ｌ２は２４０ｍｍ、Ｌ３は５０ｍｍ、ネット状生地の長手方向長さは１５０ｍｍ、織布の長手方向長さは１５０ｍｍとし、１０ｍｍの縫代で縫合した。
【００３１】
〔実施例２〕
ピース２４Ａを形成する生地を下記のネット状生地、ピース２４Ｂを形成する生地を下記の織布に変更した以外は、実施例１と同様にして吸収パッドを作製した。
ネット状生地：ポリエステル繊維８０％、ポリウレタン繊維２０％からなるネット状生地
織布：綿７０％、ポリエステル繊維２０％、ポリウレタン繊維１０％からなる織布
【００３２】
〔実施例３〕
ピース２４Ａを形成する生地を下記の織布Ａ、ピース２４Ｂを形成する生地を下記の織布Ｂに変更した以外は、実施例１と同様にして吸収パッドを作製した。
織布Ａ：ポリアミド繊維９５％、ポリウレタン繊維５％からなる織布
織布Ｂ：綿６０％、ポリアミド繊維３５％、ポリウレタン繊維５％からなる織布
【００３３】
〔比較例１〕
ピース２４Ａを形成する生地を下記のネット状生地Ａ、ピース２４Ｂを形成する生地を下記のネット状生地Ｂに変更した以外は、実施例１と同様にして吸収パッドを作製した。
ネット状生地Ａ：ポリエステル繊維７０％、ポリウレタン繊維３０％からなるネット状生地
ネット状生地Ｂ：ポリエステル繊維７５％、ポリウレタン繊維２５％からなるネット状生地
【００３４】
〔比較例２〕
ピース２４Ａを形成する生地を下記の織布Ｃ、ピース２４Ｂを形成する生地を下記の織布Ｄに変更した以外は、実施例１と同様にして吸収パッドを作製した。
織布Ｃ：綿６５％、ポリエステル繊維１５％、ポリウレタン繊維２０％からなる織布
織布Ｄ：ポリアミド繊維９５％、ポリウレタン繊維５％からなる織布
【００３５】
〔比較例３〕
ピース２４Ａ、２４Ｂを形成する生地を下記の不織布Ａに変更した以外は、実施例１と同様にして吸収パッドを作製した。
不織布Ａ：２枚のポリエステル／ポリエチレン不織布間にスパンデックス（９４０ＤＴＥＸ）が製品幅方向に５０ｍｍ間隔で配されている弾性不織布
【００３６】
〔比較例４〕
ピース２４Ａ、２４Ｂを形成する生地を下記の不織布Ｂに変更した以外は、実施例１と同様にして吸収パッドを作製した。
不織布Ｂ：２枚のポリエステル／ポリエチレン不織布間にスパンデックス（９４０ＤＴＥＸ）が製品幅方向に１５ｍｍ間隔で配されている弾性不織布
【００３７】
〔吸収パッドホルダーの着脱のし易さの評価〕
成人２０名に実施例及び比較例の各吸収パッドホルダーを装着してもらい、以下の基準で着脱のしやすさを評価してもらった。表１には、「容易に着脱できた」と回答した人数を示した。
（評価基準）
○；容易に着脱できた
△；どちらともいえない
×；着脱に手間取った
【００３８】
〔身体へのフィット性の評価〕
成人２０名に実施例及び比較例の各吸収パッドホルダーを装着してもらい、以下の基準で身体へのフィット性を評価してもらった。表１には、「身体にフィットした」と回答した人数を示した。
（評価基準）
○；身体にフィットした
△；どちらともいえない
×；身体にフィットしない
【００３９】
【表１】
2008302008.tif 000003
【００４０】
表１に示したように、上部領域２１及び下部領域２３の伸度が数値範囲を満たす場合において、優れた着脱性及びフィット性を満たすことできる。
【図面の簡単な説明】
【００４１】
【図１】本発明の吸収パッドホルダーの一実施形態を身体への装着状態で示す斜視図である。
【図２】同実施形態の吸収パッドホルダーの未使用状態（非伸張状態）における腹側の平面図である。
【符号の説明】
【００４２】
１  吸収パッドホルダー
２  股上部
３  股下部
１０  吸収パッド
【図１】
2008302008.tif 000004
【図２】
2008302008.tif 000005